(57)【要約】  本願の実施例は、周波数帯の配置及び構成の面で通信性能を向上させることのできる無線通信方法、ネットワーク装置及び端末装置を提供する。該方法は、ネットワーク装置が第１アップリンク搬送波を決定することであって、前記第１アップリンク搬送波は端末装置に使用できる複数のアップリンク搬送波のうちのアップリンク搬送波であることと、前記ネットワーク装置が前記端末装置へ構成情報を送信することであって、前記構成情報は前記第１アップリンク搬送波に関連付けられる構成情報を含むことと、を含む。
2020537838.tif 000002
【特許請求の範囲】
【請求項１】
無線通信方法であって、
ネットワーク装置が第１アップリンク搬送波を決定することであって、前記第１アップリンク搬送波は、端末装置に使用できる複数のアップリンク搬送波のうちのアップリンク搬送波であることと、
前記ネットワーク装置が前記端末装置へ構成情報を送信することであって、前記構成情報は、前記第１アップリンク搬送波に関連付けられる構成情報を含むことと、を含むことを特徴とする、前記無線通信方法。
【請求項２】
前記ネットワーク装置が前記端末装置へ構成情報を送信することは、
前記ネットワーク装置がブロードキャストシグナリング、残りの最小システム情報（ＲＭＳＩ）又はシステム情報によって複数の前記端末装置へ前記構成情報を送信することを含むことを特徴とする
請求項１に記載の方法。
【請求項３】
前記ネットワーク装置が前記端末装置へ構成情報を送信することは、
前記ネットワーク装置が上位層シグナリングによって単一の前記端末装置へ前記構成情報を送信することを含むことを特徴とする
請求項１に記載の方法。
【請求項４】
前記構成情報が前記第１アップリンク搬送波のリソース情報を含むことを特徴とする
請求項１〜３のいずれか１項に記載の方法。
【請求項５】
前記リソース情報が前記第１アップリンク搬送波の搬送波位置情報を含むことを特徴とする
請求項４に記載の方法。
【請求項６】
前記リソース情報が前記第１アップリンク搬送波の帯域幅情報を含むことを特徴とする
請求項４又は５に記載の方法。
【請求項７】
前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含むことを特徴とする
請求項６に記載の方法。
【請求項８】
前記構成情報は前記第１アップリンク搬送波においてサウンディング参照信号（ＳＲＳ）伝送を行う構成情報を含むことを特徴とする
請求項１〜７のいずれか１項に記載の方法。
【請求項９】
前記構成情報は前記第１アップリンク搬送波において物理アップリンク共有チャネル（ＰＵＳＣＨ）又は物理アップリンク制御チャネル（ＰＵＣＣＨ）伝送を行う構成情報を含むことを特徴とする
請求項１〜７のいずれか１項に記載の方法。
【請求項１０】
前記構成情報は前記第１アップリンク搬送波に対してランダムアクセスプロセスを行うランダムアクセスリソース及び／又はランダムアクセスコードを示すことに用いられることを特徴とする
請求項１〜７のいずれか１項に記載の方法。
【請求項１１】
前記構成情報は前記ランダムアクセスリソースの参照搬送波位置に対する周波数領域位置を示すことを特徴とする
請求項１０に記載の方法。
【請求項１２】
前記参照搬送波位置は前記第１アップリンク搬送波の搬送波位置であり、又は、
前記参照搬送波位置は前記複数のアップリンク搬送波のうちの前記第１アップリンク搬送波以外の他のアップリンク搬送波の搬送波位置であり、又は
前記参照搬送波位置は前記端末装置のダウンリンク搬送波の搬送波位置であることを特徴とする
請求項１１に記載の方法。
【請求項１３】
前記構成情報の属する構成シグナリングは、更に、少なくとも１つの第２アップリンク搬送波に対してランダムアクセスプロセスを行うランダムアクセスリソース及び／又はランダムアクセスコードを示すことに用いられることを特徴とする
請求項１０〜１２のいずれか１項に記載の方法。
【請求項１４】
前記方法は、更に、
前記ネットワーク装置が前記端末装置へ指示情報を送信することであって、前記指示情報はランダムにアクセスする際にアップリンク搬送波を選択するためのパラメータを示すことを含むことを特徴とする
請求項１３に記載の方法。
【請求項１５】
前記パラメータは、前記端末装置がアップリンク搬送波に対応するＤＬ信号閾値を取得することに用いられ、前記端末装置がＤＬ信号測定結果とＤＬ信号閾値との関係に基づき、対応するアップリンク搬送波を選択してランダムアクセスプロセスを行うことに用いられることを特徴とする
請求項１４に記載の方法。
【請求項１６】
前記指示情報が前記構成情報の属する構成シグナリングに含まれており、又は、
前記指示情報がブロードキャストシグナリング、ＲＭＳＩ又はシステム情報によって送信されることを特徴とする
請求項１４又は１５に記載の方法。
【請求項１７】
前記ランダムアクセスプロセスが無競争のランダムアクセスプロセスであることを特徴とする
請求項１〜１６のいずれか１項に記載の方法。
【請求項１８】
前記端末装置に使用できる複数のアップリンク搬送波がそれぞれ複数の異なる周波数帯にあることを特徴とする
請求項１〜１７のいずれか１項に記載の方法。
【請求項１９】
前記第１アップリンク搬送波の位置する周波数帯が他のアップリンク搬送波の周波数帯より低いことを特徴とする
請求項１８に記載の方法。
【請求項２０】
無線通信方法であって、
端末装置がネットワーク装置から送信された構成情報を受信することであって、前記構成情報は第１アップリンク搬送波に関連付けられる構成情報を含み、前記第１アップリンク搬送波は端末装置に使用できる複数のアップリンク搬送波のうちのアップリンク搬送波であることと、
前記構成情報に基づき、前記端末装置が前記第１アップリンク搬送波においてアップリンク伝送を行うことと、を含むことを特徴とする、前記無線通信方法。
【請求項２１】
前記端末装置がネットワーク装置から送信された構成情報を受信することは、
前記端末装置が、前記ネットワーク装置がブロードキャストシグナリング、残りの最小システム情報（ＲＭＳＩ）又はシステム情報によって送信した前記構成情報を受信することを含むことを特徴とする
請求項２０に記載の方法。
【請求項２２】
前記端末装置がネットワーク装置から送信された構成情報を受信することは、
前記端末装置が、前記ネットワーク装置が上位層シグナリングによって送信した前記構成情報を受信することを含むことを特徴とする
請求項２０に記載の方法。
【請求項２３】
前記構成情報が前記第１アップリンク搬送波のリソース情報を含むことを特徴とする
請求項２０〜２２のいずれか１項に記載の方法。
【請求項２４】
前記リソース情報が前記第１アップリンク搬送波の搬送波位置情報を含むことを特徴とする
請求項２３に記載の方法。
【請求項２５】
前記リソース情報が前記第１アップリンク搬送波の帯域幅情報を含むことを特徴とする
請求項２３又は２４に記載の方法。
【請求項２６】
前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含むことを特徴とする
請求項２５に記載の方法。
【請求項２７】
前記構成情報は前記第１アップリンク搬送波においてサウンディング参照信号（ＳＲＳ）伝送を行う構成情報を含むことを特徴とする
請求項２０〜２６のいずれか１項に記載の方法。
【請求項２８】
前記構成情報は前記第１アップリンク搬送波において物理アップリンク共有チャネル（ＰＵＳＣＨ）又は物理アップリンク制御チャネル（ＰＵＣＣＨ）伝送を行う構成情報を含むことを特徴とする
請求項２０〜２６のいずれか１項に記載の方法。
【請求項２９】
前記構成情報は前記第１アップリンク搬送波に対してランダムアクセスプロセスを行うランダムアクセスリソース及び／又はランダムアクセスコードを示すことに用いられることを特徴とする
請求項２０〜２６のいずれか１項に記載の方法。
【請求項３０】
前記構成情報は前記ランダムアクセスリソースの参照搬送波位置に対する周波数領域位置を示すことを特徴とする
請求項２９に記載の方法。
【請求項３１】
前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置であることを特徴とする
請求項３０に記載の方法。
【請求項３２】
前記構成情報の属する構成シグナリングは、更に、少なくとも１つの第２アップリンク搬送波に対してランダムアクセスプロセスを行うランダムアクセスリソース及び／又はランダムアクセスコードを示すことに用いられることを特徴とする
請求項２９〜３１のいずれか１項に記載の方法。
【請求項３３】
前記方法は、更に、
前記端末装置が前記ネットワーク装置から送信された指示情報を受信することであって、前記指示情報がランダムにアクセスする際にアップリンク搬送波を選択するためのパラメータを示すことを含み、
前記構成情報に基づき、前記端末装置が前記第１アップリンク搬送波においてアップリンク伝送を行う前に、前記方法は、更に、
前記パラメータに基づき、前記端末装置が前記第１アップリンク搬送波においてアップリンク伝送を行うと決定することを含むことを特徴とする
請求項３２に記載の方法。
【請求項３４】
前記パラメータは端末装置がアップリンク搬送波に対応するＤＬ信号閾値を取得することに用いられ、前記パラメータに基づき、前記端末装置が前記第１アップリンク搬送波においてアップリンク伝送を行うと決定することは、
前記端末装置がＤＬ信号測定結果とＤＬ信号閾値との関係に基づき、前記第１アップリンク搬送波においてアップリンク伝送を行うと決定することを含むことを特徴とする
請求項３３に記載の方法。
【請求項３５】
前記指示情報が前記構成情報の属する構成シグナリングに含まれており、又は、
前記指示情報がブロードキャストシグナリング、ＲＭＳＩ又はシステム情報によって送信されることを特徴とする
請求項３３又は３４に記載の方法。
【請求項３６】
前記ランダムアクセスプロセスが無競争のランダムアクセスプロセスであることを特徴とする
請求項２０〜３５のいずれか１項に記載の方法。
【請求項３７】
前記端末装置に使用できる複数のアップリンク搬送波がそれぞれ複数の異なる周波数帯にあることを特徴とする
請求項２０〜３６のいずれか１項に記載の方法。
【請求項３８】
前記第１アップリンク搬送波の位置する周波数帯が他のアップリンク搬送波の周波数帯より低いことを特徴とする
請求項３７に記載の方法。
【請求項３９】
ネットワーク装置であって、
第１アップリンク搬送波を決定するように構成される処理ユニットであって、前記第１アップリンク搬送波が端末装置に使用できる複数のアップリンク搬送波のうちのアップリンク搬送波である処理ユニットと、
前記端末装置へ構成情報を送信するように構成される送受信ユニットであって、前記構成情報が前記第１アップリンク搬送波に関連付けられる構成情報を含む送受信ユニットと、を備えることを特徴とする、前記ネットワーク装置。
【請求項４０】
前記送受信ユニットは、更に、
ブロードキャストシグナリング、残りの最小システム情報（ＲＭＳＩ）又はシステム情報によって複数の前記端末装置へ前記構成情報を送信することに用いられることを特徴とする
請求項３９に記載のネットワーク装置。
【請求項４１】
前記送受信ユニットは、更に、
上位層シグナリングによって単一の前記端末装置へ前記構成情報を送信することに用いられることを特徴とする
請求項３９に記載のネットワーク装置。
【請求項４２】
前記構成情報が前記第１アップリンク搬送波のリソース情報を含むことを特徴とする
請求項３９〜４１のいずれか１項に記載のネットワーク装置。
【請求項４３】
前記リソース情報が前記第１アップリンク搬送波の搬送波位置情報を含むことを特徴とする
請求項４２に記載のネットワーク装置。
【請求項４４】
前記リソース情報が前記第１アップリンク搬送波の帯域幅情報を含むことを特徴とする
請求項４２又は４３に記載のネットワーク装置。
【請求項４５】
前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含むことを特徴とする
請求項４４に記載のネットワーク装置。
【請求項４６】
前記構成情報は前記第１アップリンク搬送波においてサウンディング参照信号（ＳＲＳ）伝送を行う構成情報を含むことを特徴とする
請求項３９〜４５のいずれか１項に記載のネットワーク装置。
【請求項４７】
前記構成情報は前記第１アップリンク搬送波において物理アップリンク共有チャネル（ＰＵＳＣＨ）又は物理アップリンク制御チャネル（ＰＵＣＣＨ）伝送を行う構成情報を含むことを特徴とする
請求項３９〜４５のいずれか１項に記載のネットワーク装置。
【請求項４８】
前記構成情報は前記第１アップリンク搬送波に対してランダムアクセスプロセスを行うランダムアクセスリソース及び／又はランダムアクセスコードを示すことに用いられることを特徴とする
請求項３９〜４５のいずれか１項に記載のネットワーク装置。
【請求項４９】
前記構成情報は前記ランダムアクセスリソースの参照搬送波位置に対する周波数領域位置を示すことを特徴とする
請求項４８に記載のネットワーク装置。
【請求項５０】
前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置であることを特徴とする
請求項４９に記載のネットワーク装置。
【請求項５１】
前記構成情報の属する構成シグナリングは、更に、少なくとも１つの第２アップリンク搬送波に対してランダムアクセスプロセスを行うランダムアクセスリソース及び／又はランダムアクセスコードを示すことに用いられることを特徴とする
請求項４８〜５０のいずれか１項に記載のネットワーク装置。
【請求項５２】
前記送受信ユニットは、更に、前記端末装置へ指示情報を送信することに用いられ、前記指示情報は、ランダムにアクセスする際にアップリンク搬送波を選択するためのパラメータを示すことを特徴とする
請求項５１に記載のネットワーク装置。
【請求項５３】
前記パラメータは、前記端末装置がアップリンク搬送波に対応するＤＬ信号閾値を取得することに用いられ、前記端末装置がＤＬ信号測定結果とＤＬ信号閾値との関係に基づき、対応するアップリンク搬送波を選択してランダムアクセスプロセスを行うことに用いられることを特徴とする
請求項５２に記載のネットワーク装置。
【請求項５４】
前記指示情報が前記構成情報の属する構成シグナリングに含まれており、又は、
前記指示情報がブロードキャストシグナリング、ＲＭＳＩ又はシステム情報によって送信されることを特徴とする
請求項５２又は５３に記載のネットワーク装置。
【請求項５５】
前記ランダムアクセスプロセスが無競争のランダムアクセスプロセスであることを特徴とする
請求項３９〜５４のいずれか１項に記載のネットワーク装置。
【請求項５６】
前記端末装置に使用できる複数のアップリンク搬送波がそれぞれ複数の異なる周波数帯にあることを特徴とする
請求項３９〜５５のいずれか１項に記載のネットワーク装置。
【請求項５７】
前記第１アップリンク搬送波の位置する周波数帯が他のアップリンク搬送波の周波数帯より低いことを特徴とする
請求項５６に記載のネットワーク装置。
【請求項５８】
端末装置であって、
ネットワーク装置から送信された構成情報を受信するように構成される受信ユニットであって、前記構成情報が第１アップリンク搬送波に関連付けられる構成情報を含み、前記第１アップリンク搬送波が端末装置に使用できる複数のアップリンク搬送波のうちのアップリンク搬送波である受信ユニットと、
前記構成情報に基づき、前記第１アップリンク搬送波においてアップリンク伝送を行うように構成される伝送ユニットと、を備えることを特徴とする、前記端末装置。
【請求項５９】
前記受信ユニットは、更に、
前記ネットワーク装置がブロードキャストシグナリング、残りの最小システム情報（ＲＭＳＩ）又はシステム情報によって送信した前記構成情報を受信することに用いられることを特徴とする
請求項５８に記載の端末装置。
【請求項６０】
前記受信ユニットは、更に、
前記ネットワーク装置が上位層シグナリングによって送信した前記構成情報を受信することに用いられることを特徴とする
請求項５８に記載の端末装置。
【請求項６１】
前記構成情報が前記第１アップリンク搬送波のリソース情報を含むことを特徴とする
請求項５８〜６０のいずれか１項に記載の端末装置。
【請求項６２】
前記リソース情報が前記第１アップリンク搬送波の搬送波位置情報を含むことを特徴とする
請求項６１に記載の端末装置。
【請求項６３】
前記リソース情報が前記第１アップリンク搬送波の帯域幅情報を含むことを特徴とする
請求項６１又は６２に記載の端末装置。
【請求項６４】
前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含むことを特徴とする
請求項６３に記載の端末装置。
【請求項６５】
前記構成情報は前記第１アップリンク搬送波においてサウンディング参照信号（ＳＲＳ）伝送を行う構成情報を含むことを特徴とする
請求項５８〜６４のいずれか１項に記載の端末装置。
【請求項６６】
前記構成情報は前記第１アップリンク搬送波において物理アップリンク共有チャネル（ＰＵＳＣＨ）又は物理アップリンク制御チャネル（ＰＵＣＣＨ）伝送を行う構成情報を含むことを特徴とする
請求項５８〜６４のいずれか１項に記載の端末装置。
【請求項６７】
前記構成情報は前記第１アップリンク搬送波に対してランダムアクセスプロセスを行うランダムアクセスリソース及び／又はランダムアクセスコードを示すことに用いられることを特徴とする
請求項５８〜６６のいずれか１項に記載の端末装置。
【請求項６８】
前記構成情報が前記ランダムアクセスリソースの参照搬送波位置に対する周波数領域位置を示すことを特徴とする
請求項６７に記載の端末装置。
【請求項６９】
前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置であることを特徴とする
請求項６８に記載の端末装置。
【請求項７０】
前記構成情報の属する構成シグナリングは、更に、少なくとも１つの第２アップリンク搬送波に対してランダムアクセスプロセスを行うランダムアクセスリソース及び／又はランダムアクセスコードを示すことに用いられることを特徴とする
請求項６７〜６９のいずれか１項に記載の端末装置。
【請求項７１】
前記受信ユニットは、更に、前記ネットワーク装置から送信された指示情報を受信することに用いられ、前記指示情報はランダムにアクセスする際にアップリンク搬送波を選択するためのパラメータを示し、
前記伝送ユニットは、更に、前記パラメータに基づき、前記第１アップリンク搬送波においてアップリンク伝送を行うと決定することに用いられることを特徴とする
請求項７０に記載の端末装置。
【請求項７２】
前記パラメータは端末装置がアップリンク搬送波に対応するＤＬ信号閾値を取得することに用いられ、前記伝送ユニットは、更に、
ＤＬ信号測定結果とＤＬ信号閾値との関係に基づき、前記第１アップリンク搬送波においてアップリンク伝送を行うと決定することに用いられることを特徴とする
請求項７１に記載の端末装置。
【請求項７３】
前記指示情報が前記構成情報の属する構成シグナリングに含まれており、又は、
前記指示情報がブロードキャストシグナリング、ＲＭＳＩ又はシステム情報によって送信されることを特徴とする
請求項７１又は７２に記載の端末装置。
【請求項７４】
前記ランダムアクセスプロセスが無競争のランダムアクセスプロセスであることを特徴とする
請求項５８〜７３のいずれか１項に記載の端末装置。
【請求項７５】
前記端末装置に使用できる複数のアップリンク搬送波がそれぞれ複数の異なる周波数帯にあることを特徴とする
請求項５８〜７４のいずれか１項に記載の端末装置。
【請求項７６】
前記第１アップリンク搬送波の位置する周波数帯が他のアップリンク搬送波の周波数帯より低いことを特徴とする
請求項７５に記載の端末装置。
【発明の詳細な説明】
【技術分野】
【０００１】
本願は通信分野に関し、より具体的に、無線通信方法、ネットワーク装置及び端末装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、１つの固定されたアップリンク搬送波と１つの固定されたダウンリンク搬送波（アップリンク搬送波とダウンリンク搬送波とは周波数領域において少なくとも一部が重複する）を有し、端末装置とネットワークとが該固定されたアップリンク搬送波及びダウンリンク搬送波を利用してそれぞれアップリンク／ダウンリンク通信を行うことができる。
【０００３】
将来の通信システムにおいて、通信性能への要求がより高い。
【０００４】
従って、どのように搬送波の配置及び構成の面で通信性能を向上させるかは早急な解決の待たれる問題である。
【発明の概要】
【発明が解決しようとする課題】
【０００５】
本願の実施例は搬送波の配置及び構成の面で通信性能を向上させることのできる無線通信方法及び装置を提供する。
【課題を解決するための手段】
【０００６】
第１態様に係る無線通信方法であって、
ネットワーク装置が第１アップリンク搬送波を決定することであって、前記第１アップリンク搬送波が端末装置に使用できる複数のアップリンク搬送波のうちのアップリンク搬送波であることと、
前記ネットワーク装置が前記端末装置へ構成情報を送信することであって、前記構成情報が前記第１アップリンク搬送波に関連付けられる構成情報を含むことと、を含む。
【０００７】
第１態様を参照して、第１態様の可能な実現方式では、前記ネットワーク装置が前記端末装置へ構成情報を送信することは、
前記ネットワーク装置がブロードキャストシグナリング、残りの最小システム情報（ＲＭＳＩ）又はシステム情報によって複数の前記端末装置へ前記構成情報を送信することを含む。
【０００８】
第１態様又は上記いずれか１つの可能な実現方式を参照して、第１態様の他の可能な実現方式では、前記ネットワーク装置が前記端末装置へ構成情報を送信することは、
前記ネットワーク装置が上位層シグナリングによって単一の前記端末装置へ前記構成情報を送信することを含む。
【０００９】
第１態様又は上記いずれか１つの可能な実現方式を参照して、第１態様の他の可能な実現方式では、前記構成情報が前記第１アップリンク搬送波のリソース情報を含む。
【００１０】
第１態様又は上記いずれか１つの可能な実現方式を参照して、第１態様の他の可能な実現方式では、前記リソース情報が前記第１アップリンク搬送波の搬送波位置情報を含む。
【００１１】
第１態様又は上記いずれか１つの可能な実現方式を参照して、第１態様の他の可能な実現方式では、前記リソース情報が前記第１アップリンク搬送波の帯域幅情報を含む。
【００１２】
第１態様又は上記いずれか１つの可能な実現方式を参照して、第１態様の他の可能な実現方式では、前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含む。
【００１３】
第１態様又は上記いずれか１つの可能な実現方式を参照して、第１態様の他の可能な実現方式では、前記構成情報が前記第１アップリンク搬送波においてサウンディング参照信号（ＳＲＳ）伝送を行う構成情報を含む。
【００１４】
第１態様又は上記いずれか１つの可能な実現方式を参照して、第１態様の他の可能な実現方式では、前記構成情報は前記第１アップリンク搬送波において物理アップリンク共有チャネル（ＰＵＳＣＨ）又は物理アップリンク制御チャネル（ＰＵＣＣＨ）伝送を行う構成情報を含む。
【００１５】
第１態様又は上記いずれか１つの可能な実現方式を参照して、第１態様の他の可能な実現方式では、前記構成情報は前記第１アップリンク搬送波に対してランダムアクセスプロセスを行うランダムアクセスリソース及び／又はランダムアクセスコードを示すことに用いられる。
【００１６】
第１態様又は上記いずれか１つの可能な実現方式を参照して、第１態様の他の可能な実現方式では、前記構成情報が前記ランダムアクセスリソースの参照搬送波位置に対する周波数領域位置を示す。
【００１７】
第１態様又は上記いずれか１つの可能な実現方式を参照して、第１態様の他の可能な実現方式では、前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置である。
【００１８】
第１態様又は上記いずれか１つの可能な実現方式を参照して、第１態様の他の可能な実現方式では、前記構成情報の属する構成シグナリングは、更に、少なくとも１つの第２アップリンク搬送波に対してランダムアクセスプロセスを行うランダムアクセスリソース及び／又はランダムアクセスコードを示すことに用いられる。
【００１９】
第１態様又は上記いずれか１つの可能な実現方式を参照して、第１態様の他の可能な実現方式では、前記方法は、更に、
前記ネットワーク装置が前記端末装置へ指示情報を送信し、前記指示情報がランダムにアクセスする際にアップリンク搬送波を選択するためのパラメータを示すことを含む。
【００２０】
第１態様又は上記いずれか１つの可能な実現方式を参照して、第１態様の他の可能な実現方式では、前記パラメータは前記端末装置がアップリンク搬送波に対応するＤＬ信号閾値を取得することに用いられ、前記端末装置がＤＬ信号測定結果とＤＬ信号閾値との関係に基づき、対応するアップリンク搬送波を選択してランダムアクセスプロセスを行うことに用いられる。
【００２１】
第１態様又は上記いずれか１つの可能な実現方式を参照して、第１態様の他の可能な実現方式では、前記指示情報が前記構成情報の属する構成シグナリングに含まれており、又は、
前記指示情報がブロードキャストシグナリング、ＲＭＳＩ又はシステム情報によって送信される。
【００２２】
第１態様又は上記いずれか１つの可能な実現方式を参照して、第１態様の他の可能な実現方式では、前記ランダムアクセスプロセスが無競争のランダムアクセスプロセスである。
【００２３】
第１態様又は上記いずれか１つの可能な実現方式を参照して、第１態様の他の可能な実現方式では、前記端末装置に使用できる複数のアップリンク搬送波がそれぞれ複数の異なる周波数帯にある。
【００２４】
第１態様又は上記いずれか１つの可能な実現方式を参照して、第１態様の他の可能な実現方式では、前記第１アップリンク搬送波の位置する周波数帯が他のアップリンク搬送波の周波数帯より低い。
【００２５】
第２態様に係る無線通信方法であって、
端末装置がネットワーク装置から送信された構成情報を受信することであって、前記構成情報が第１アップリンク搬送波に関連付けられる構成情報を含み、前記第１アップリンク搬送波が端末装置に使用できる複数のアップリンク搬送波のうちのアップリンク搬送波であることと、
前記構成情報に基づき、前記端末装置が前記第１アップリンク搬送波においてアップリンク伝送を行うことと、を含む。
【００２６】
第２態様を参照して、第２態様の可能な実現方式では、前記端末装置がネットワーク装置から送信された構成情報を受信することは、
前記端末装置が、前記ネットワーク装置がブロードキャストシグナリング、残りの最小システム情報（ＲＭＳＩ）又はシステム情報によって送信した前記構成情報を受信することを含む。
【００２７】
第２態様又は上記いずれか１つの可能な実現方式を参照して、第２態様の他の可能な実現方式では、前記端末装置がネットワーク装置から送信された構成情報を受信することは、
前記端末装置が、前記ネットワーク装置が上位層シグナリングによって送信した前記構成情報を受信することを含む。
【００２８】
第２態様又は上記いずれか１つの可能な実現方式を参照して、第２態様の他の可能な実現方式では、前記構成情報が前記第１アップリンク搬送波のリソース情報を含む。
【００２９】
第２態様又は上記いずれか１つの可能な実現方式を参照して、第２態様の他の可能な実現方式では、前記リソース情報が前記第１アップリンク搬送波の搬送波位置情報を含む。
【００３０】
第２態様又は上記いずれか１つの可能な実現方式を参照して、第２態様の他の可能な実現方式では、前記リソース情報が前記第１アップリンク搬送波の帯域幅情報を含む。
【００３１】
第２態様又は上記いずれか１つの可能な実現方式を参照して、第２態様の他の可能な実現方式では、前記帯域幅情報は前記第１アップリンク搬送波が実際に用いた帯域幅、前記第１アップリンク搬送波の初期アクセス帯域幅、又は前記第１アップリンク搬送波の相対参照オブジェクトの参照帯域幅を含む。
【００３２】
第２態様又は上記いずれか１つの可能な実現方式を参照して、第２態様の他の可能な実現方式では、前記構成情報が前記第１アップリンク搬送波においてサウンディング参照信号（ＳＲＳ）伝送を行う構成情報を含む。
【００３３】
第２態様又は上記いずれか１つの可能な実現方式を参照して、第２態様の他の可能な実現方式では、前記構成情報は前記第１アップリンク搬送波において物理アップリンク共有チャネル（ＰＵＳＣＨ）又は物理アップリンク制御チャネル（ＰＵＣＣＨ）伝送を行う構成情報を含む。
【００３４】
第２態様又は上記いずれか１つの可能な実現方式を参照して、第２態様の他の可能な実現方式では、前記構成情報は前記第１アップリンク搬送波に対してランダムアクセスプロセスを行うランダムアクセスリソース及び／又はランダムアクセスコードを示すことに用いられる。
【００３５】
第２態様又は上記いずれか１つの可能な実現方式を参照して、第２態様の他の可能な実現方式では、前記構成情報が前記ランダムアクセスリソースの参照搬送波位置に対する周波数領域位置を示す。
【００３６】
第２態様又は上記いずれか１つの可能な実現方式を参照して、第２態様の他の可能な実現方式では、前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置である。
【００３７】
第２態様又は上記いずれか１つの可能な実現方式を参照して、第２態様の他の可能な実現方式では、前記構成情報の属する構成シグナリングは、更に、少なくとも１つの第２アップリンク搬送波に対してランダムアクセスプロセスを行うランダムアクセスリソース及び／又はランダムアクセスコードを示すことに用いられる。
【００３８】
第２態様又は上記いずれか１つの可能な実現方式を参照して、第２態様の他の可能な実現方式では、前記方法は、更に、
前記端末装置が前記ネットワーク装置から送信された指示情報を受信し、前記指示情報がランダムにアクセスする際にアップリンク搬送波を選択するためのパラメータを示すことを含み、
前記構成情報に基づき、前記端末装置が前記第１アップリンク搬送波においてアップリンク伝送を行う前に、前記方法は、更に、
前記パラメータに基づき、前記端末装置が前記第１アップリンク搬送波においてアップリンク伝送を行うと決定することを含む。
【００３９】
第２態様又は上記いずれか１つの可能な実現方式を参照して、第２態様の他の可能な実現方式では、前記パラメータは端末装置がアップリンク搬送波に対応するＤＬ信号閾値を取得することに用いられ、前記パラメータに基づき、前記端末装置が前記第１アップリンク搬送波においてアップリンク伝送を行うと決定することは、
前記端末装置がＤＬ信号測定結果とＤＬ信号閾値との関係に基づき、前記端末装置が前記第１アップリンク搬送波においてアップリンク伝送を行うと決定することを含む。
【００４０】
第２態様又は上記いずれか１つの可能な実現方式を参照して、第２態様の他の可能な実現方式では、前記指示情報が前記構成情報の属する構成シグナリングに含まれており、又は、
前記指示情報がブロードキャストシグナリング、ＲＭＳＩ又はシステム情報によって送信される。
【００４１】
第２態様又は上記いずれか１つの可能な実現方式を参照して、第２態様の他の可能な実現方式では、前記ランダムアクセスプロセスが無競争のランダムアクセスプロセスである。
【００４２】
第２態様又は上記いずれか１つの可能な実現方式を参照して、第２態様の他の可能な実現方式では、前記端末装置に使用できる複数のアップリンク搬送波がそれぞれ複数の異なる周波数帯にある。
【００４３】
第２態様又は上記いずれか１つの可能な実現方式を参照して、第２態様の他の可能な実現方式では、前記第１アップリンク搬送波の位置する周波数帯が他のアップリンク搬送波の周波数帯より低い。
【００４４】
第３態様に係るネットワーク装置であって、上記第１態様又は第１態様のいずれか１つの可能な実現方式における方法を実行することに用いられる。具体的に、前記ネットワーク装置は上記第１態様又は第１態様のいずれか１つの可能な実現方式における方法を実行するための機能モジュールを備える。
【００４５】
第４態様に係る端末装置であって、上記第２態様又は第２態様のいずれか１つの可能な実現方式における方法を実行することに用いられる。具体的に、前記端末装置は上記第２態様又は第２態様のいずれか１つの可能な実現方式における方法を実行するための機能モジュールを備える。
【００４６】
第５態様に係るネットワーク装置であって、プロセッサ、メモリ及び送受信機を備える。前記プロセッサ、前記メモリ及び前記送受信機が内部接続経路によって互いに通信し、制御及び／又はデータ信号を伝達することにより、前記ネットワーク装置が上記第１態様又は第１態様のいずれか１つの可能な実現方式における方法を実行する。
【００４７】
第６態様に係る端末装置であって、プロセッサ、メモリ及び送受信機を備える。前記プロセッサ、前記メモリ及び前記送受信機が内部接続経路によって互いに通信し、制御及び／又はデータ信号を伝達することにより、前記ネットワーク装置が上記第２態様又は第２態様のいずれか１つの可能な実現方式における方法を実行する。
【００４８】
第９態様に係るコンピュータ可読媒体であって、コンピュータプログラムを記憶することに用いられ、前記コンピュータプログラムは上記いずれか１つの方法又はいずれか１つの可能な実施の態様を実行するための命令を含む。
【００４９】
第１０態様に係る命令を含むコンピュータプログラム製品であって、コンピュータにおいて実行されるとき、コンピュータが上記いずれか１つの方法又はいずれか１つの可能な実現方式における方法を実行する。
【００５０】
従って、本願の実施例では、端末装置のアップリンク伝送に使用できて、複数のアップリンク搬送波のうちのアップリンク搬送波を構成できるアップリンク搬送波が複数あるため、端末装置のアップリンク伝送柔軟性を向上させ、通信性能を向上させることができる。
【図面の簡単な説明】
【００５１】
【図１】図１は本願の実施例に係る無線通信システムの模式図である。
【図２】図２は本願の実施例に係るリンク搬送波のリソース割り当ての面での模式図である。
【図３】図３は本願の実施例に係るリンク搬送波のリソース割り当ての面での模式図である。
【図４】図４は本願の実施例に係るリンク搬送波のリソース割り当ての面での模式図である。
【図５】図５は本願の実施例に係るリンク搬送波のリソース割り当ての面での模式図である。
【図６】図６は本願の実施例に係る無線通信方法のフローチャートである。
【図７】図７は本願の実施例に係るネットワーク装置のブロック図である。
【図８】図８は本願の実施例に係る端末装置のブロック図である。
【図９】図９は本願の実施例に係るシステムチップのブロック図である。
【図１０】図１０は本願の実施例に係る通信装置のブロック図である。
【発明を実施するための形態】
【００５２】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００５３】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００５４】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム（新無線（ＮＲ：Ｎｅｗ  Ｒａｄｉｏ）システムとも称される）等に適用されてもよい。
【００５５】
理解すべきものは、本明細書では、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５６】
図１には本願の実施例に適用される無線通信システム１００を示す。
【００５７】
理解すべきものは、図１には１つのネットワーク装置及び２つの端末装置を例示的に示し、好ましくは、該無線通信システム１００は複数のネットワーク装置を備えてもよく、且つ各ネットワーク装置のカバレッジ範囲内には他の数の端末装置が含まれてもよく、本願の実施例は制限しない。
【００５８】
好ましくは、該無線通信システム１００は更にネットワーク制御装置、モビリティ管理エンティティ等の他のネットワークエンティティを備えてもよく、本願の実施例は制限しない。
【００５９】
図１に示すように、該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００６０】
該無線通信システム１００は更にネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００６１】
好ましくは、端末装置１２０同士が装置対装置（Ｄ２Ｄ：Ｄｅｖｉｃｅ  ｔｏ  Ｄｅｖｉｃｅ）通信を行うことができる。
【００６２】
好ましくは、５Ｇシステム又はネットワークが更に新無線（ＮＲ：Ｎｅｗ  Ｒａｄｉｏ）システム又はネットワークと称されてもよい。
【００６３】
高周波の周波数帯は５Ｇ（ＮＲ）ネットワークを配置する重要な候補周波数帯である。周波数帯がより高いため、カバレッジ範囲が制限されている（低周波ＬＴＥに比べて）。ダウンリンク（ＤＬ：Ｄｏｗｎｌｉｎｋ）に対して、基地局の送信電力がより高いため、大規模な多入力多出力（ＭＩＭＯ：Ｍｕｌｔｉｐｌｅ  Ｉｎｐｕｔ  Ｍｕｌｔｉｐｌｅ  Ｏｕｔｐｕｔ）（ｈｙｂｒｉｄ  Ｂｅａｍｆｏｒｍｉｎｇ）等によりＤＬのカバレッジを改良する。ＵＥの送信電力が制限されるため、ＵＬカバレッジがボトルネックとなる。
【００６４】
従って、低周波にＮＲ伝送のための１つのアップリンクリンク（ＵＬ：Ｕｐｌｉｎｋ）搬送波を配置してもよく、このＵＬ搬送波が補足アップリンク（ＳＵＬ：Ｓｕｐｐｌｅｍｅｎｔａｒｙ  Ｕｐｌｉｎｋ）搬送波と称されてもよい。このように、ＮＲは少なくとも２つのＵＬ搬送波を有し、一方がＳＵＬ搬送波であり、他方が高周波ＵＬ搬送波（ＮＲ専用（ｄｅｄｉｃａｔｅｄ）のＵＬ搬送波と称される）である。
【００６５】
例えば、図２及び図３に示すように、ＮＲシステムは周波数帯ｆ０にある高周波ＵＬ搬送波と、周波数帯ｆ１にある低周波ＵＬ搬送波とを含んでもよい。
【００６６】
図２に示すように、周波数帯ｆ０にある高周波ＵＬ搬送波と周波数帯ｆ０にある高周波ＤＬ搬送波とが周波数分割多重化（ＦＤＤ：Ｆｒｅｑｕｅｎｃｙ  Ｄｉｖｉｓｉｏｎ  Ｄｕｐｌｅｘｉｎｇ）され、又は、図３に示すように、周波数帯ｆ０にある高周波ＵＬ搬送波と周波数帯ｆ１にある高周波ＤＬ搬送波とが時分割多重化（ＴＤＤ：Ｔｉｍｅ  Ｄｉｖｉｓｉｏｎ  Ｄｕｐｌｅｘｉｎｇ）される。
【００６７】
好ましくは、ＳＵＬ搬送波は更にＬＴＥシステムと周波数スペクトルリソースを共有してもよく、つまり、ｆ１において、一部のリソースのみがＮＲに使用でき、他のリソースがＬＴＥに使用される。リソース共有は周波数分割多重（ＦＤＭ：Ｆｒｅｑｕｅｎｃｙ  Ｄｉｖｉｓｉｏｎ  Ｍｕｌｔｉｐｌｅｘｉｎｇ）ＦＤＭ又は時分割多重化（ＴＤＭ：Ｔｉｍｅ  Ｄｉｖｉｓｉｏｎ  Ｍｕｌｔｉｐｌｅｘｉｎｇ）方式（例えば、図４及び図５に示されるＴＤＭ方式）であってもよい。
【００６８】
理解すべきものは、以上はＮＲシステムに２つのＵＬ搬送波があることを例として説明したが、本願の実施例はこれに限らず、例えば、ＮＲシステムに更に３つ又は３つ以上のＵＬ搬送波があってもよい。
【００６９】
更に理解すべきものは、本願の実施例では、ＮＲシステムに含まれる複数のＵＬ搬送波はいずれも端末装置がアップリンク伝送を行うために用いられてもよいが、構成時、端末装置が一部のＵＬ搬送波を用いてアップリンク伝送を行うように構成してもよい。
【００７０】
好ましくは、ネットワーク装置により構成された端末装置の用いたＵＬ搬送波数及び具体的にどのＵＬ搬送波を用いるかは動的に変化してもよい。
【００７１】
このため、本願の実施例はネットワークが複数のＵＬ搬送波をサポートするシーンにおいてどのように無線通信を行うかの問題を解決する以下の無線通信方法を提供する。
【００７２】
図６は本願の実施例に係る無線通信方法２００のフローチャートである。該方法２００は図１に示されるシステムに適用されてもよいことが好ましいが、これに限らない。該方法２００は以下の少なくとも一部を含む。
【００７３】
２１０において、ネットワーク装置が第１アップリンク搬送波を決定し、該第１アップリンク搬送波が端末装置に使用できる複数のアップリンク搬送波のうちのアップリンク搬送波である。
【００７４】
好ましくは、端末装置に使用できる複数のアップリンク搬送波は、該複数のアップリンク搬送波が端末装置のアップリンク伝送を行うために選択又は構成されてもよいことを意味するが、端末装置は必ず複数のアップリンク搬送波を用いてアップリンク伝送を行わなければならないことを意味しない。
【００７５】
好ましくは、該端末装置に使用できる複数のアップリンク搬送波がそれぞれ複数の異なる周波数帯にある。
【００７６】
好ましくは、該複数のアップリンク搬送波のうちのいずれか２つのアップリンク搬送波同士は周波数領域において一部が重複し、又は完全に重複しなくてもよい。
【００７７】
好ましくは、該第１アップリンク搬送波の位置する周波数帯が他のアップリンク搬送波の周波数帯より低い。例えば、該第１アップリンク搬送波が図２〜図５に示されるＳＵＬ搬送波であってもよい。
【００７８】
本願の実施例のアップリンク搬送波が更に上りリンク搬送波と称されてもよい。
【００７９】
２２０において、該ネットワーク装置が該端末装置へ構成情報を送信し、該構成情報が該第１アップリンク搬送波に関連付けられる構成情報を含む。
【００８０】
好ましくは、該ネットワーク装置がブロードキャストシグナリング、残りの最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）又はシステム情報によって複数の該端末装置へ該構成情報を送信する。
【００８１】
好ましくは、該ネットワーク装置が上位層シグナリングによって単一の該端末装置へ該構成情報を送信する。
【００８２】
例えば、無線リソース制御（ＲＲＣ：Ｒａｄｉｏ  Ｒｅｓｏｕｒｃｅ  Ｃｏｎｔｒｏｌ）命令又は媒体アクセス制御（ＭＡＣ：Ｍｅｄｉａ  Ａｃｃｅｓｓ  Ｃｏｎｔｒｏｌ）制御ユニット（ＣＥ：Ｃｏｎｔｒｏｌ  Ｅｌｅｍｅｎｔ）によって単一の端末装置へ該構成情報を送信してもよい。
【００８３】
２３０において、該端末装置が該ネットワーク装置から送信された該構成情報を受信する。
【００８４】
２４０において、該構成情報に基づき、該端末装置が該第１アップリンク搬送波においてアップリンク伝送を行う。
【００８５】
従って、本願の実施例では、端末装置のアップリンク伝送を行うためのアップリンク搬送波が複数あって、複数のアップリンク搬送波のうちのアップリンク搬送波を構成してもよく、それにより端末装置のアップリンク伝送柔軟性を向上させ、通信性能を向上させることができる。
【００８６】
好ましくは、本願の実施例では、該構成情報は該第１アップリンク搬送波のリソース情報を含む。これにより、端末装置は該構成情報に含まれるリソース情報に基づき、第１アップリンク搬送波のリソースを決定することができ、それによりアップリンク伝送を行うことができる。
【００８７】
好ましくは、該リソース情報は該第１アップリンク搬送波の搬送波位置情報を含む。該搬送波位置情報は該搬送波の位置する周波数帯を含んでもよい。
【００８８】
好ましくは、該リソース情報は該第１アップリンク搬送波の帯域幅情報を含む。
【００８９】
該帯域幅情報は該第１アップリンク搬送波が実際に用いた帯域幅、該第１アップリンク搬送波の初期アクセス帯域幅、又は該第１アップリンク搬送波の相対参照オブジェクトの参照帯域幅（例えば、ある参照点からどれくらいの帯域幅を開放するか）を含んでもよい。
【００９０】
好ましくは、該構成情報は該第１アップリンク搬送波においてサウンディング参照信号（ＳＲＳ：Ｓｏｕｎｄｉｎｇ  Ｒｅｆｅｒｅｎｃｅ  Ｓｉｇｎａｌ）伝送を行う構成情報を含む。これにより、端末装置は該構成情報に基づき、ＳＲＳ伝送を実行することができる。
【００９１】
好ましくは、該構成情報は該第１アップリンク搬送波において物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）伝送を行う構成情報を含む。これにより、端末装置は該構成情報に基づき、ＰＵＳＣＨ又はＰＵＣＣＨの伝送を実行することができる。
【００９２】
好ましくは、該構成情報は該第１アップリンク搬送波に対してランダムアクセスプロセスを行うランダムアクセスリソース及び／又はランダムアクセスコードを示すことに用いられる。該第１アップリンク搬送波に対してランダムアクセスプロセスを行うランダムアクセスリソースは該第１アップリンク搬送波そのものに含まれるリソースのうちの一部のリソースであってもよい。
【００９３】
好ましくは、該構成情報が該ランダムアクセスリソースの参照搬送波位置に対する周波数領域位置を示す。
【００９４】
好ましくは、該参照搬送波位置が該第１アップリンク搬送波の搬送波位置であり、又は、
該参照搬送波位置が該複数のアップリンク搬送波のうちの該第１アップリンク搬送波以外の他のアップリンク搬送波の搬送波位置であり、又は
該参照搬送波位置が該端末装置のダウンリンク搬送波の搬送波位置である。
【００９５】
当然ながら、本願の実施例の参照搬送波位置が更に他の位置であってもよい。
【００９６】
好ましくは、該構成情報の属する構成シグナリングは、更に、少なくとも１つの第２アップリンク搬送波に対してランダムアクセスプロセスを行うランダムアクセスリソース及び／又はランダムアクセスコードを示すことに用いられる。第１アップリンク搬送波に対してランダムアクセスプロセスを行うランダムアクセスリソース及び／又はランダムアクセスコードと第２アップリンク搬送波に対してランダムアクセスプロセスを行うランダムアクセスリソース及び／又はランダムアクセスコードとが同じであってもよい。本願の実施例におけるランダムアクセスコードがランダムアクセスプリアンブル（Ｐｒｅａｍｂｌｅ）と称されてもよい。
【００９７】
つまり、ネットワーク装置は複数のアップリンクに対してランダムアクセスプロセスを構成するランダムアクセスリソース及び／又はアクセスコードを送信することができ、それによりネットワーク装置はランダムにアクセスするアップリンク搬送波を選択して、選択されたアップリンク搬送波に対応するランダムアクセスリソース及び／又はアクセスコードを利用してランダムにアクセスすることができる。
【００９８】
好ましくは、端末装置は特定のパラメータに基づいてランダムにアクセスするアップリンク搬送波を選択することができる。
【００９９】
例えば、該特定のパラメータは該端末装置がアップリンク搬送波に対応するＤＬ信号閾値を取得することに用いられてもよく、それにより端末装置はダウンリンク搬送波（ＤＬ：Ｄｏｗｎｌｉｎｋ）信号測定結果とＤＬ信号閾値との関係に基づき、対応するアップリンク搬送波を選択してランダムアクセスプロセスに使用させる。
【０１００】
例えば、ＤＬ信号閾値に対応する値はａを含み、ＤＬ信号の値がａ以上である場合、第１アップリンク搬送波を選択してランダムにアクセスし、ＤＬ信号の値がａより小さい場合、第２アップリンク搬送波を選択してランダムにアクセスする。
【０１０１】
好ましくは、ランダムにアクセスする際にアップリンク搬送波を選択するためのパラメータはネットワーク装置が指示情報によって端末装置に送信したものであってもよい。該パラメータは直接上記ＤＬ信号閾値を示してもよいし、間接的に該ＤＬ信号閾値のパラメータを取得してもよい。
【０１０２】
該指示情報は上記構成情報の属する構成シグナリングに含まれており、又は、該指示情報はブロードキャストシグナリング、ＲＭＳＩ又はシステム情報によって上記構成情報と独立して送信される。
【０１０３】
好ましくは、ランダムにアクセスする際にアップリンク搬送波を選択するためのパラメータは端末装置に予め設定されたものであってもよい。
【０１０４】
好ましくは、本願の実施例に言及した該ランダムアクセスプロセスは無競争（ｃｏｎｔｅｎｔｉｏｎ−ｆｒｅｅ）のランダムアクセスプロセスである。
【０１０５】
図７は本願の実施例に係るネットワーク装置３００のブロック図である。図７に示すように、該ネットワーク装置３００は処理ユニット３１０及び送受信ユニット３２０を備える。
【０１０６】
前記処理ユニット３１０は第１アップリンク搬送波を決定することに用いられ、前記第１アップリンク搬送波が端末装置に使用できる複数のアップリンク搬送波のうちのアップリンク搬送波であり、
前記送受信ユニット３２０は前記端末装置へ構成情報を送信することに用いられ、前記構成情報が前記第１アップリンク搬送波に関連付けられる構成情報を含む。
【０１０７】
理解すべきものは、該ネットワーク装置３００は上記方法実施例におけるネットワーク装置の実行する対応操作を実行することができ、簡潔のため、ここで詳細な説明は省略する。
【０１０８】
図８は本願の実施例に係る端末装置４００のブロック図である。
【０１０９】
図８に示すように、該端末装置４００は受信ユニット４１０及び伝送ユニット４２０を備え、前記受信ユニット４１０はネットワーク装置から送信された構成情報を受信することに用いられ、前記構成情報が第１アップリンク搬送波に関連付けられる構成情報を含み、前記第１アップリンク搬送波が端末装置に使用できる複数のアップリンク搬送波のうちのアップリンク搬送波であり、前記伝送ユニット４２０は前記構成情報に基づき、前記第１アップリンク搬送波においてアップリンク伝送を行うことに用いられる。
【０１１０】
理解すべきものは、該端末装置４００は上記方法実施例における端末装置の実行する対応操作を実行することができ、簡潔のため、ここで詳細な説明は省略する。
【０１１１】
図９は本願の実施例のシステムチップ５００の構造模式図である。図９におけるシステムチップ５００は入力インターフェース５０１、出力インターフェース５０２、プロセッサ５０３及びメモリ５０４を備え、それらが内部通信接続回路によって接続されてもよく、前記プロセッサ５０３は前記メモリ５０４におけるコードを実行することに用いられる。
【０１１２】
好ましくは、前記コードが実行されるとき、前記プロセッサ５０３は方法実施例におけるネットワーク装置の実行する方法を実現する。簡潔のため、ここで詳細な説明は省略する。
【０１１３】
好ましくは、前記コードが実行されるとき、前記プロセッサ５０３は方法実施例における端末装置の実行する方法を実現する。簡潔のため、ここで詳細な説明は省略する。
【０１１４】
図１０は本願の実施例に係る通信装置６００のブロック図である。図１０に示すように、該通信装置６００はプロセッサ６１０及びメモリ６２０を備える。該メモリ６２０にプログラムコードが記憶されてもよく、該プロセッサ６１０は該メモリ６２０に記憶されるプログラムコードを実行することができる。
【０１１５】
好ましくは、図１０に示すように、該通信装置６００は送受信機６３０を備えてもよく、プロセッサ６１０は送受信機６３０が外部と通信するように制御することができる。
【０１１６】
好ましくは、該プロセッサ６１０はメモリ６２０に記憶されるプログラムコードを呼び出して、方法実施例におけるネットワーク装置の対応操作を実行することができ、簡潔のため、ここで詳細な説明は省略する。
【０１１７】
好ましくは、該プロセッサ６１０はメモリ６２０に記憶されるプログラムコードを呼び出して、方法実施例における端末装置の対応操作を実行することができ、簡潔のため、ここで詳細な説明は省略する。
【０１１８】
理解すべきものは、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１１９】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。注意すべきものは、本明細書に説明されるシステム及び方法のメモリはこれらのメモリ及び任意の他の適切なタイプのメモリを含んでもよいが、それらに限らないように意図されるものである。
【０１２０】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１２１】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１２２】
本願に係るいくつかの実施例において、理解すべきものは、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２３】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに構成されてもよい。実際の必要に応じて、その一部又は全部のユニットを選択して本実施例案の目的を実現してもよい。
【０１２４】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１２５】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２６】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2020537838.tif 000003
【図２】
2020537838.tif 000004
【図３】
2020537838.tif 000005
【図４】
2020537838.tif 000006
【図５】
2020537838.tif 000007
【図６】
2020537838.tif 000008
【図７】
2020537838.tif 000009
【図８】
2020537838.tif 000010
【図９】
2020537838.tif 000011
【図１０】
2020537838.tif 000012
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
無線通信方法であって、
端末装置がネットワーク装置から送信された構成情報を受信することであって、前記構成情報は第１アップリンク搬送波に関連付けられる構成情報を含み、前記第１アップリンク搬送波は端末装置に使用できる複数のアップリンク搬送波のうちのアップリンク搬送波であることと、
前記構成情報に基づき、前記端末装置が前記第１アップリンク搬送波においてアップリンク伝送を行うことと、を含むことを特徴とする、前記無線通信方法。
【請求項２】
前記端末装置がネットワーク装置から送信された構成情報を受信することは、
前記端末装置が、前記ネットワーク装置がブロードキャストシグナリング、残りの最小システム情報（ＲＭＳＩ）及びシステム情報のうちの一つによって送信した前記構成情報を受信することを含むことを特徴とする
請求項１に記載の方法。
【請求項３】
前記端末装置がネットワーク装置から送信された構成情報を受信することは、
前記端末装置が、前記ネットワーク装置が上位層シグナリングによって送信した前記構成情報を受信することを含むことを特徴とする
請求項１に記載の方法。
【請求項４】
前記構成情報が前記第１アップリンク搬送波のリソース情報を含むことを特徴とする
請求項１〜３のいずれか１項に記載の方法。
【請求項５】
前記リソース情報が前記第１アップリンク搬送波の搬送波位置情報を含むことを特徴とする
請求項４に記載の方法。
【請求項６】
前記リソース情報が前記第１アップリンク搬送波の帯域幅情報を含むことを特徴とする
請求項４又は５に記載の方法。
【請求項７】
前記帯域幅情報は、前記第１アップリンク搬送波が実際に用いた帯域幅、前記第１アップリンク搬送波の初期アクセス帯域幅、及び前記第１アップリンク搬送波の相対参照オブジェクトの参照帯域幅のうちの一つを含むことを特徴とする
請求項６に記載の方法。
【請求項８】
前記構成情報は前記第１アップリンク搬送波においてサウンディング参照信号（ＳＲＳ）伝送を行う構成情報を含むことを特徴とする
請求項１〜７のいずれか１項に記載の方法。
【請求項９】
前記構成情報は前記第１アップリンク搬送波において物理アップリンク共有チャネル（ＰＵＳＣＨ）又は前記第１アップリンク搬送波において物理アップリンク制御チャネル（ＰＵＣＣＨ）伝送を行う構成情報を含むことを特徴とする
請求項１〜７のいずれか１項に記載の方法。
【請求項１０】
前記構成情報は前記第１アップリンク搬送波に対してランダムアクセスプロセスを行うランダムアクセスリソース及び／又はランダムアクセスコードを示すことに用いられることを特徴とする
請求項１〜７のいずれか１項に記載の方法。
【請求項１１】
前記構成情報は前記ランダムアクセスリソースの参照搬送波位置に対する周波数領域位置を示すことを特徴とする
請求項１０に記載の方法。
【請求項１２】
前記参照搬送波位置が前記第１アップリンク搬送波の搬送波位置であり、又は、
前記参照搬送波位置が前記複数のアップリンク搬送波のうちの前記第１アップリンク搬送波以外の他のアップリンク搬送波の搬送波位置であり、又は
前記参照搬送波位置が前記端末装置のダウンリンク搬送波の搬送波位置であることを特徴とする
請求項１１に記載の方法。
【請求項１３】
前記構成情報の属する構成シグナリングは、更に、少なくとも１つの第２アップリンク搬送波に対してランダムアクセスプロセスを行うランダムアクセスリソース及び／又はランダムアクセスコードを示すことに用いられることを特徴とする
請求項１０〜１２のいずれか１項に記載の方法。
【請求項１４】
前記方法は、更に、
前記端末装置が前記ネットワーク装置から送信された指示情報を受信することであって、前記指示情報がランダムにアクセスする際にアップリンク搬送波を選択するためのパラメータを示すことを含み、
前記構成情報に基づき、前記端末装置が前記第１アップリンク搬送波においてアップリンク伝送を行う前に、前記方法は、更に、
前記パラメータに基づき、前記端末装置が前記第１アップリンク搬送波においてアップリンク伝送を行うと決定することを含むことを特徴とする
請求項１３に記載の方法。
【請求項１５】
前記パラメータは端末装置がアップリンク搬送波に対応するＤＬ信号閾値を取得することに用いられ、前記パラメータに基づき、前記端末装置が前記第１アップリンク搬送波においてアップリンク伝送を行うと決定することは、
前記端末装置がＤＬ信号測定結果とＤＬ信号閾値との関係に基づき、前記第１アップリンク搬送波においてアップリンク伝送を行うと決定することを含むことを特徴とする
請求項１４に記載の方法。
【請求項１６】
前記指示情報が前記構成情報の属する構成シグナリングに含まれており、又は、
前記指示情報がブロードキャストシグナリング、ＲＭＳＩ及びシステム情報のうちの一つによって送信されることを特徴とする
請求項１４又は１５に記載の方法。
【請求項１７】
前記端末装置に使用できる複数のアップリンク搬送波がそれぞれ複数の異なる周波数帯にあることを特徴とする
請求項１〜１６のいずれか１項に記載の方法。
【請求項１８】
前記第１アップリンク搬送波の位置する周波数帯が前記複数のアップリンク搬送波における他のアップリンク搬送波の周波数帯より低いことを特徴とする
請求項１７に記載の方法。
【請求項１９】
前記第１アップリンク搬送波は補足アップリンク搬送波であることを特徴とする
請求項１〜１８のいずれか１項に記載の方法。
【請求項２０】
端末装置であって、
請求項１〜１９のいずれか一項に記載の無線通信方法を実施するように構成されることを特徴とする、前記端末装置。
【国際調査報告】
2020537838.tif 000013
2020537838.tif 000014
2020537838.tif 000015
2020537838.tif 000016